(57)【要約】  本願の実施例は、端末デバイスがＰＤＣＣＨのブラインド検出の複雑性を軽減できるデータ伝送方法、端末デバイス及びネットワークデバイスを提供し、この方法は、端末デバイスがネットワークデバイスにより送信されたスロットフォーマット指示ＳＦＩを受信することと、前記端末デバイスが前記ＳＦＩに基づいて、１つの時間ユニットにおけるスロット構成及び前記スロット構成が適用される時間長のうちの少なくとも１つを決定することと、前記端末デバイスが前記ＳＦＩに基づいて物理下り制御チャネルＰＤＣＣＨを検出することとを含む。
2021501495.tif 000002
【特許請求の範囲】
【請求項１】
端末デバイスがネットワークデバイスにより送信されたスロットフォーマット指示ＳＦＩを受信することと、
前記端末デバイスが前記ＳＦＩに基づいて、１つの時間ユニットにおけるスロット構成及び前記スロット構成が適用される時間長のうちの少なくとも１つを決定することと、
前記端末デバイスが前記ＳＦＩに基づいて物理下り制御チャネルＰＤＣＣＨを検出することとを含む
ことを特徴とするデータ伝送方法。
【請求項２】
前記１つの時間ユニットが１つのスロットである
ことを特徴とする請求項１に記載のデータ伝送方法。
【請求項３】
前記ＳＦＩが１つのスロットに含まれる下りシンボルの個数情報及び／又は上りシンボルの個数情報を示し、前記端末デバイスが前記ＳＦＩに基づいて、１つの時間ユニットにおけるスロット構成及び前記スロット構成が適用される時間長のうちの少なくとも１つを決定することは、
前記端末デバイスが１つのスロット内の１番目シンボルから始まるＭ個のシンボルを、下り伝送のための時間領域位置として決定することと、及び／又は、
前記端末デバイスが１つのスロット内の最後のシンボルから始まる前のＮ個のシンボルを、上り伝送のための時間領域位置として決定することと、
前記Ｍが前記下りシンボルの個数であり、前記Ｍが０以上の整数であり、前記Ｎが前記上りシンボルの個数であり、前記Ｎが０以上の整数である
ことを特徴とする請求項２に記載のデータ伝送方法。
【請求項４】
前記端末デバイスが前記ＳＦＩに基づいて物理下り制御チャネルＰＤＣＣＨを検出することは、
前記端末デバイスが１番目のシンボルから始まる前記Ｍ個のシンボルにおいてＰＤＣＣＨを検出することを含む
ことを特徴とする請求項３に記載のデータ伝送方法。
【請求項５】
前記ＳＦＩがスロット構成インデックスを示し、前記端末デバイスが前記ＳＦＩに基づいて、１つの時間ユニットにおけるスロット構成及び前記スロット構成が適用される時間長のうちの少なくとも１つを決定することは、
前記端末デバイスが前記スロット構成インデックス及び第１の対応関係に基づいて、１つのスロット内のスロット構成を決定することを含み、前記第１の対応関係がスロット構成インデックスとスロット構成との対応関係である
ことを特徴とする請求項２に記載のデータ伝送方法。
【請求項６】
前記ＳＦＩは、前記スロット構成が適用されるスロット個数の情報を含む
ことを特徴とする請求項２〜５のいずれか１項に記載のデータ伝送方法。
【請求項７】
前記端末デバイスが前記ＳＦＩに基づいて、１つの時間ユニットにおけるスロット構成及び前記スロット構成が適用される時間長のうちの少なくとも１つを決定することは、
前記端末デバイスが、前記ＳＦＩを搬送するための下り制御メッセージＤＣＩが採用するスクランブル方式、及び第２の対応関係に基づいて、前記スロット構成が適用されるスロット個数を決定することを含み、
前記第２の対応関係が、ＳＦＩを搬送するためのＤＣＩが採用するスクランブル方式とスロット構成が適用されるスロット個数との対応関係である
ことを特徴とする請求項２〜５のいずれか１項に記載のデータ伝送方法。
【請求項８】
前記ＤＣＩが採用するスクランブル方式は、前記ＤＣＩのスクランブルが採用されるマスク及び／又は無線ネットワーク一時識別子ＲＮＴＩを含む
ことを特徴とする請求項７に記載のデータ伝送方法。
【請求項９】
前記端末デバイスが前記ＳＦＩに基づいて物理下り制御チャネルＰＤＣＣＨを検出することは、
前記端末デバイスが現在のスロット又は現在のスロットの後のＬ個のスロットから始まるＫ個のスロットにおいて、前記スロット構成に基づいて、物理下り制御チャネルＰＤＣＣＨを検出することを含み、前記Ｋが前記スロット構成が適用されるスロット個数であり、前記Ｌが１以上の整数であり、前記Ｋが１以上の整数である
ことを特徴とする請求項６〜８のいずれか１項に記載のデータ伝送方法。
【請求項１０】
前記１つの時間ユニットがＳＦＩを搬送するＤＣＩを伝送するための伝送周期であり、前記伝送周期が複数のスロットを含む
ことを特徴とする請求項１に記載のデータ伝送方法。
【請求項１１】
前記ＳＦＩは、１つの伝送周期内の各スロットに対応するスロット構成を示す
ことを特徴とする請求項１０に記載のデータ伝送方法。
【請求項１２】
前記ＳＦＩが１つの伝送周期内の各スロットに含まれる下りシンボルの個数情報及び／又は上りシンボルの個数情報を含み、前記端末デバイスが前記ＳＦＩに基づいて、１つの時間ユニットにおけるスロット構成及び前記スロット構成が適用される時間長のうちの少なくとも１つを決定することは、
前記端末デバイスが前記各スロット内の１番目のシンボルから始まるＭ個のシンボルを、前記各スロットにおいて下り伝送のための時間領域位置として決定すること、及び／又は、
前記端末デバイスが前記各スロット内の最後のシンボルから始まる前のＮ個のシンボルを、前記各スロットにおいて上り伝送のための時間領域位置として決定することを含み、
前記Ｍが前記各スロットの下りシンボルの個数であり、前記Ｍが０以上の整数であり、前記Ｎが前記各スロットの上りシンボルの個数であり、前記Ｎが０以上の整数である
ことを特徴とする請求項１１に記載のデータ伝送方法。
【請求項１３】
前記ＳＦＩが１つの伝送周期の各スロットのスロット構成インデックスを含み、前記スロット構成インデックスとスロット構成とが第３の対応関係を有し、前記端末デバイスが前記ＳＦＩに基づいて、１つの時間ユニットにおけるスロット構成及び前記スロット構成が適用される時間長のうちの少なくとも１つを決定することは、
前記端末デバイスが前記各スロットのスロット構成インデックス及び前記第３の対応関係に基づいて、前記各スロット内のスロット構成を決定することを含む
ことを特徴とする請求項１１に記載のデータ伝送方法。
【請求項１４】
前記ＳＦＩは、ビットマップ方式で１つの伝送周期内の前記各スロットに対応するスロット構成を示す
ことを特徴とする請求項１１〜１３のいずれか１項に記載のデータ伝送方法。
【請求項１５】
前記端末デバイスが前記ＳＦＩに基づいて物理下り制御チャネルＰＤＣＣＨを検出することは、
前記端末デバイスが各伝送周期において、１つの伝送周期内の前記各スロットに対応するスロット構成に基づいて、ＰＤＣＣＨを検出することを含む
ことを特徴とする請求項１１〜１４のいずれか１項に記載のデータ伝送方法。
【請求項１６】
前記方法は、さらに、
前記端末デバイスが前記ネットワークデバイスにより送信された構成情報を受信することを含み、前記構成情報が、前記ＳＦＩを搬送するためのＤＣＩの前記伝送周期を構成する
ことを特徴とする請求項１１〜１５のいずれか１項に記載のデータ伝送方法。
【請求項１７】
ネットワークデバイスがスロットフォーマット指示ＳＦＩを生成することと、
前記ネットワークデバイスが端末デバイスに前記ＳＦＩを送信することとを含み、
前記ＳＦＩが、１つの時間ユニットにおけるスロット構成及び前記スロット構成が適用される時間長のうちの少なくとも１つを示す
ことを特徴とするデータ伝送方法。
【請求項１８】
前記１つの時間ユニットが１つのスロットである
ことを特徴とする請求項１７に記載のデータ伝送方法。
【請求項１９】
前記ＳＦＩが１つのスロットに含まれる下りシンボルの個数情報及び／又は上りシンボルの個数情報を示す
ことを特徴とする請求項１８に記載のデータ伝送方法。
【請求項２０】
前記ＳＦＩがスロット構成インデックスを示し、前記スロット構成インデックスとスロット構成とが第１の対応関係を有する
ことを特徴とする請求項１８に記載のデータ伝送方法。
【請求項２１】
前記ＳＦＩは、前記スロット構成が適用されるスロット個数の情報を含む
ことを特徴とする請求項１８〜２０のいずれか１項に記載のデータ伝送方法。
【請求項２２】
ＳＦＩを搬送するためのＤＣＩが採用するスクランブル方式とスロット構成が適用されるスロット個数とが、第２の対応関係を有する
ことを特徴とする請求項１８〜２０のいずれか１項に記載のデータ伝送方法。
【請求項２３】
前記ＤＣＩが採用するスクランブル方式は、前記ＤＣＩのスクランブルが採用されるマスク及び／又は無線ネットワーク一時識別子ＲＮＴＩを含む
ことを特徴とする請求項２２に記載のデータ伝送方法。
【請求項２４】
前記１つの時間ユニットがＳＦＩを搬送するＤＣＩを伝送するための伝送周期であり、前記伝送周期が複数のスロットを含む
ことを特徴とする請求項１７に記載のデータ伝送方法。
【請求項２５】
前記ＳＦＩは、１つの伝送周期内の各スロットに対応するスロット構成を示す
ことを特徴とする請求項２４に記載のデータ伝送方法。
【請求項２６】
前記ＳＦＩが１つの伝送周期内の各スロットに含まれる下りシンボルの個数情報及び／又は、上りシンボルの個数情報を含む
ことを特徴とする請求項２５に記載のデータ伝送方法。
【請求項２７】
前記ＳＦＩが１つの伝送周期の各スロットのスロット構成インデックスを含み、前記スロット構成インデックスとスロット構成とが第３の対応関係を有する
ことを特徴とする請求項２５に記載のデータ伝送方法。
【請求項２８】
前記ＳＦＩは、ビットマップ方式で１つの伝送周期内の前記各スロットに対応するスロット構成を示す
ことを特徴とする請求項２６又は２７に記載のデータ伝送方法。
【請求項２９】
前記方法は、さらに、
前記ネットワークデバイスが前記端末デバイスに構成情報を送信することを含み、前記構成情報は、前記ＳＦＩを搬送するためのＤＣＩの前記伝送周期を前記端末デバイスに構成する
ことを特徴とする請求項２４〜２８のいずれか１項に記載のデータ伝送方法。
【請求項３０】
通信モジュールと、決定モジュールと、を備える端末デバイスであって、
通信モジュールは、ネットワークデバイスにより送信されたスロットフォーマット指示ＳＦＩを受信するように構成され、
決定モジュールは、前記ＳＦＩに基づいて、１つの時間ユニットにおけるスロット構成及び前記スロット構成が適用される時間長のうちの少なくとも１つを決定するように構成され、
前記通信モジュールは、さらに、前記ＳＦＩに基づいて物理下り制御チャネルＰＤＣＣＨを検出するように構成される
ことを特徴とする端末デバイス。
【請求項３１】
前記１つの時間ユニットが１つのスロットである
ことを特徴とする請求項３０に記載の端末デバイス。
【請求項３２】
前記ＳＦＩが１つのスロットに含まれる下りシンボルの個数情報及び／又は、上りシンボルの個数情報を示し、
前記決定モジュールは、
１つのスロット内の１番目のシンボルから始まるＭ個のシンボルを、下り伝送のための時間領域位置として決定するように構成され、前記Ｍが前記下りシンボルの個数であり、前記Ｍが０以上の整数であり、及び／又は、
１つのスロット内の最後のシンボルから始まる前のＮ個のシンボルを、上り伝送のための時間領域位置として決定するように構成され、前記Ｎが前記上りシンボルの個数であり、前記Ｎが０以上の整数である
ことを特徴とする請求項３１に記載の端末デバイス。
【請求項３３】
前記通信モジュールは、
１番目のシンボルから始まる前記Ｍ個のシンボルにおいてＰＤＣＣＨを検出するように構成される
ことを特徴とする請求項３２に記載の端末デバイス。
【請求項３４】
前記ＳＦＩがスロット構成インデックスを示し、
前記決定モジュールは、
前記スロット構成インデックス及び第１の対応関係に基づいて、１つのスロット内のスロット構成を決定するように構成され、前記第１の対応関係がスロット構成インデックスとスロット構成との対応関係である
ことを特徴とする請求項３１に記載の端末デバイス。
【請求項３５】
前記ＳＦＩは、前記スロット構成が適用されるスロット個数の情報を含む
ことを特徴とする請求項３１〜３４のいずれか１項に記載の端末デバイス。
【請求項３６】
前記決定モジュールは、
前記ＳＦＩを搬送するための下り制御メッセージＤＣＩが採用するスクランブル方式及び第２の対応関係に基づいて、前記スロット構成が適用されるスロット個数を決定するように構成され、
前記第２の対応関係がＳＦＩを搬送するためのＤＣＩが採用するスクランブル方式とスロット構成が適用されるスロット個数との対応関係である
ことを特徴とする請求項３１〜３４のいずれか１項に記載の端末デバイス。
【請求項３７】
前記ＤＣＩが採用するスクランブル方式は、前記ＤＣＩのスクランブルが採用されるマスク及び／又は、無線ネットワーク一時識別子ＲＮＴＩを含む
ことを特徴とする請求項３６に記載の端末デバイス。
【請求項３８】
前記通信モジュールは、
現在のスロット又は現在のスロットの後のＬ個のスロットから始まるＫ個のスロットにおいて、前記スロット構成に基づいて、物理下り制御チャネルＰＤＣＣＨを検出するように構成され、前記Ｋが前記スロット構成が適用されるスロット個数であり、前記Ｌが１以上の整数であり、前記Ｋが１以上の整数である
ことを特徴とする請求項３５〜３７のいずれか１項に記載の端末デバイス。
【請求項３９】
前記１つの時間ユニットがＳＦＩを搬送するＤＣＩを伝送するための伝送周期であり、前記伝送周期が複数のスロットを含む
ことを特徴とする請求項３０に記載の端末デバイス。
【請求項４０】
前記ＳＦＩは、１つの伝送周期内の各スロットに対応するスロット構成を示す
ことを特徴とする請求項３９に記載の端末デバイス。
【請求項４１】
前記ＳＦＩが１つの伝送周期内の各スロットに含まれる下りシンボルの個数情報及び／又は、上りシンボルの個数情報を含み、
前記決定モジュールは、
前記各スロット内の１番目のシンボルから始まるＭ個のシンボルを、前記各スロットにおいて下り伝送のための時間領域位置として決定するように構成され、前記Ｍが前記各スロットの下りシンボルの個数であり、前記Ｍが０以上の整数であり、及び／又は、
前記各スロット内の最後のシンボルから始まる前のＮ個のシンボルを、前記各スロットにおいて上り伝送のための時間領域位置として決定するように構成され、前記Ｎが前記各スロットの上りシンボルの個数であり、前記Ｎが０以上の整数である
ことを特徴とする請求項４０に記載の端末デバイス。
【請求項４２】
前記ＳＦＩが１つの伝送周期の各スロットのスロット構成インデックスを含み、前記スロット構成インデックスとスロット構成とが第３の対応関係を有し、
前記決定モジュールは、
前記各スロットのスロット構成インデックス及び前記第３の対応関係に基づいて、前記各スロット内のスロット構成を決定するように構成される
ことを特徴とする請求項４０に記載の端末デバイス。
【請求項４３】
前記ＳＦＩは、ビットマップ方式で１つの伝送周期内の前記各スロットに対応するスロット構成を示す
ことを特徴とする請求項４０〜４２のいずれか１項に記載の端末デバイス。
【請求項４４】
前記通信モジュールは、
各伝送周期において、１つの伝送周期内の前記各スロットに対応するスロット構成に基づいて、ＰＤＣＣＨを検出するように構成される
ことを特徴とする請求項４０〜４３のいずれか１項に記載の端末デバイス。
【請求項４５】
前記通信モジュールは、さらに、
前記ネットワークデバイスにより送信された構成情報を受信するように構成され、前記構成情報が、前記ＳＦＩを搬送するためのＤＣＩの前記伝送周期を構成する
ことを特徴とする請求項４０〜４４のいずれか１項に記載の端末デバイス。
【請求項４６】
生成モジュールと、通信モジュール、を備えるネットワークデバイスであって、
前記生成モジュールは、スロットフォーマット指示ＳＦＩを生成するように構成され、
通信モジュールは、端末デバイスに前記ＳＦＩを送信するように構成され、
前記ＳＦＩが、１つの時間ユニットにおけるスロット構成及び前記スロット構成が適用される時間長のうちの少なくとも１つを示す
ことを特徴とするネットワークデバイス。
【請求項４７】
前記１つの時間ユニットが１つのスロットである
ことを特徴とする請求項４６に記載のネットワークデバイス。
【請求項４８】
前記ＳＦＩが１つのスロットに含まれる下りシンボルの個数情報及び／又は、上りシンボルの個数情報を示す
ことを特徴とする請求項４７に記載のネットワークデバイス。
【請求項４９】
前記ＳＦＩがスロット構成インデックスを示し、前記スロット構成インデックスとスロット構成とが第１の対応関係を有する
ことを特徴とする請求項４７に記載のネットワークデバイス。
【請求項５０】
前記ＳＦＩは、前記スロット構成が適用されるスロット個数の情報を含む
ことを特徴とする請求項４７〜４９のいずれか１項に記載のネットワークデバイス。
【請求項５１】
ＳＦＩを搬送するためのＤＣＩが採用するスクランブル方式とスロット構成が適用されるスロット個数とが、第２の対応関係を有する
ことを特徴とする請求項４７〜４９のいずれか１項に記載のネットワークデバイス。
【請求項５２】
前記ＤＣＩが採用するスクランブル方式は、前記ＤＣＩのスクランブルが採用されるマスク及び／又は、無線ネットワーク一時識別子ＲＮＴＩを含む
ことを特徴とする請求項５１に記載のネットワークデバイス。
【請求項５３】
前記１つの時間ユニットがＳＦＩを搬送するＤＣＩを伝送するための伝送周期であり、前記伝送周期が複数のスロットを含む
ことを特徴とする請求項４６に記載のネットワークデバイス。
【請求項５４】
前記ＳＦＩは、１つの伝送周期内の各スロットに対応するスロット構成を示す
ことを特徴とする請求項５３に記載のネットワークデバイス。
【請求項５５】
前記ＳＦＩが１つの伝送周期内の各スロットに含まれる下りシンボルの個数情報及び／又は、上りシンボルの個数情報を含む
ことを特徴とする請求項５４に記載のネットワークデバイス。
【請求項５６】
前記ＳＦＩが１つの伝送周期の各スロットのスロット構成インデックスを含み、前記スロット構成インデックスとスロット構成とが第３の対応関係を有する
ことを特徴とする請求項５４に記載のネットワークデバイス。
【請求項５７】
前記ＳＦＩは、ビットマップ方式で１つの伝送周期内の前記各スロットに対応するスロット構成を示す
ことを特徴とする請求項５５又は５６に記載のネットワークデバイス。
【請求項５８】
前記通信モジュールは、さらに、
前記端末デバイスに構成情報を送信するように構成され、前記構成情報は、前記ＳＦＩを搬送するためのＤＣＩの前記伝送周期を前記端末デバイスに構成する
ことを特徴とする請求項５３〜５７のいずれか１項に記載のネットワークデバイス。
【発明の詳細な説明】
【技術分野】
【０００１】
本願は、通信分野に関し、具体的に、データ伝送方法、端末デバイス及びネットワークデバイスに関する。
【背景技術】
【０００２】
ＮＲ(Ｎｅｗ Ｒａｄｉｏ)システムでは、スロット（ｓｌｏｔ）またはシンボルをスケジューリング単位とし、各スロットがＸ個のシンボルを含み、例えば、Ｘ＝１４であり、１つのスロット内に、下り( Ｄｏｗｎ Ｌｉｎｋ、ＤＬ )シンボル、上り( Ｕｐ Ｌｉｎｋ、ＵＬ )シンボル、予約( ｒｅｓｅｒｖｅｄ )シンボル、および未知（ｕｎｋｎｏｗｎ）シンボルがあり、ここで、予約シンボルが上りまたは下り伝送のために使用されなく、未知のシンボルは、動的シグナリングによって上りまたは下りのシンボルに変更されて上りまたは下り伝送のために使用され得る。具体的なスロット構成は、スロット構成指示( Ｓｌｏｔ Ｆｏｒｍａｔ Ｉｎｄｉｃａｔｏｒ，ＳＦＩ )を採用することができ、例えば、基地局がグループ共通物理下り制御チャネル( ｇｒｏｕｐ ｃｏｍｍｏｎ ＰＤＣＣＨ )でＳＦＩを送信し、端末デバイスが採用するスロット構成を通知する。
【０００３】
ＮＲシステムでは、マルチスロット（ｍｕｌｔｉ−ｓｌｏｔ）とシングルスロットのＳＦＩ指示方式をサポートでき、シングルスロットのＳＦＩ指示は、１つのスロットのスロット構成を指示することができ、ｍｕｌｔｉ−ｓｌｏｔのＳＦＩ指示は、複数のスロットのスロット構成を指示するために使用することができるため、ｍｕｌｔｉ−ｓｌｏｔとシングルスロットのＳＦＩ指示方式では、必要とするビット数が異なり、端末デバイスによるＰＤＣＣＨのブラインド検出の複雑度がある程度増加する。
【０００４】
従って、端末デバイスのブラインド検出の複雑度を低減するためにＳＦＩの指示をどのように行うかが、解決すべき課題である。
【発明の概要】
【０００５】
本願の実施例は、端末デバイスのブラインド検出の複雑度を低減することができるデータ伝送方法、端末デバイス及びネットワークデバイスを提供する。
【０００６】
第１の態様は、データ伝送方法を提供し、
端末デバイスがネットワークデバイスにより送信されたスロットフォーマット指示ＳＦＩを受信することと、
前記端末デバイスが前記ＳＦＩに基づいて、１つの時間ユニットにおけるスロット構成及び前記スロット構成が適用される時間長のうちの少なくとも１つを決定することと、
前記端末デバイスが前記ＳＦＩに基づいて物理下り制御チャネルＰＤＣＣＨを検出することとを含む。
【０００７】
したがって、本願の実施例におけるＳＦＩは、従来のＳＦＩと異なり、このＳＦＩは、１つの時間ユニット内のスロット構成を指示するだけでなく、そのスロット構成が適用される時間長を指示するために使用することができ、これにより、ある時間ユニット(現在の時間ユニットでもよいし、現在の時間ユニットよりも１つ後の時間ユニットでもよい)から後のいくつかの時間ユニット内でそのスロット構成を採用することができ、後のいくつかの時間ユニット内でＳＦＩを送信する必要がなくなり、オーバーヘッドシグナリングを低減することができるとともに、端末デバイスによるＰＤＣＣＨのブラインド検出の複雑度を低減することができる。
【０００８】
任意選択で、本願の実施例において、１つの時間ユニットは、１つ以上のスロットであり得、又は１つ以上の伝送時間間隔( Ｔｒａｎｓｍｉｓｓｉｏｎ Ｔｉｍｅ Ｉｎｔｅｒｖａｌ、ＴＴＩ )等であり得る。
【０００９】
第１の態様と結合し、第１の態様の実現可能な方式において、前記１つの時間ユニットが１つのスロットである。
【００１０】
第１の態様と結合し、第１の態様の実現可能な方式において、前記ＳＦＩが１つのスロットに含まれる下りシンボルの個数情報及び／又は、上りシンボルの個数情報を示し、前記端末デバイスが前記ＳＦＩに基づいて、１つの時間ユニットにおけるスロット構成及び前記スロット構成が適用される時間長のうちの少なくとも１つを決定することは、
前記端末デバイスが１つのスロット内の１番目シンボルから始まるＭ個のシンボルを、下り伝送のための時間領域位置として決定することと、前記Ｍが前記下りシンボルの個数であり、前記Ｍが０以上の整数であり、及び／又は、
前記端末デバイスが１つのスロット内の最後のシンボルから始まる前のＮ個のシンボルを、上り伝送のための時間領域位置として決定することと、ここで、前記Ｎが前記上りシンボルの個数であり、前記Ｎが０以上の整数である。
【００１１】
従って、本願の実施例のＳＦＩの指示方法は、１つのスロット内のシンボル毎の状態を指示する必要がなく、１つのスロット内のシンボル毎の状態を指示する方式に対して、シグナリングオーバーヘッドを低減することができる。
【００１２】
第１の態様と結合し、第１の態様の実現可能な方式において、前記端末デバイスが前記ＳＦＩに基づいて物理下り制御チャネルＰＤＣＣＨを検出することは、
前記端末デバイスが１番目のシンボルから始まる前記Ｍ個のシンボルにおいてＰＤＣＣＨを検出することを含む。
【００１３】
第１の態様と結合し、第１の態様の実現可能な方式において、前記ＳＦＩがスロット構成インデックスを示し、前記端末デバイスが前記ＳＦＩに基づいて、１つの時間ユニットにおけるスロット構成及び前記スロット構成が適用される時間長のうちの少なくとも１つを決定することは、
前記端末デバイスが前記スロット構成インデックス及び第１の対応関係に基づいて、１つのスロット内のスロット構成を決定することを含み、前記第１の対応関係がスロット構成インデックスとスロット構成との対応関係である。
【００１４】
従って、本願の実施例のＳＦＩの指示方法は、１つのスロット内のシンボル毎の状態を指示する必要がなく、１つのスロット内のシンボル毎の状態を指示する方式に対して、シグナリングオーバーヘッドを低減することができる。
【００１５】
任意選択で、この第１の対応関係は、ネットワークデバイスが端末デバイスに予め構成されたものであってもよく、例えば、ネットワークデバイスは、半静的シグナリングにより、この第１の対応関係を端末デバイスに予め構成してもよく、又は、この第１の対応関係は、端末デバイスに予め構成されてもよい。
【００１６】
第１の態様と結合し、第１の態様の実現可能な方式において、前記ＳＦＩは、前記スロット構成が適用されるスロット個数の情報を含む。
【００１７】
第１の態様と結合し、第１の態様の実現可能な方式において、前記端末デバイスが前記ＳＦＩに基づいて、１つの時間ユニットにおけるスロット構成及び前記スロット構成が適用される時間長のうちの少なくとも１つを決定することは、
前記端末デバイスが、前記ＳＦＩを搬送するための下り制御メッセージＤＣＩが採用するスクランブル方式、及び第２の対応関係に基づいて、前記スロット構成が適用されるスロット個数を決定することを含み、ここで、前記第２の対応関係がＳＦＩを搬送するためのＤＣＩが採用するスクランブル方式とスロット構成が適用されるスロット個数との対応関係である。
【００１８】
任意選択で、この第２の対応関係は、ネットワークデバイスが端末デバイスに予め構成されたものであってもよく、例えば、ネットワークデバイスは、半静的シグナリングにより、この第２の対応関係を端末デバイスに予め構成してもよく、又は、この第２の対応関係は、端末デバイスに予め構成されてもよいが、本願の実施例がこれに限定されない。
【００１９】
第１の態様と結合し、第１の態様の実現可能な方式において、前記ＤＣＩが採用するスクランブル方式は、前記ＤＣＩのスクランブルが採用されるマスク及び／又は、無線ネットワーク一時識別子ＲＮＴＩを含む。
【００２０】
第１の態様と結合し、第１の態様の実現可能な方式において、前記端末デバイスが前記ＳＦＩに基づいて物理下り制御チャネルＰＤＣＣＨを検出することは、
前記端末デバイスが現在のスロット又は現在のスロットの後のＬ個のスロットから始まるＫ個のスロットにおいて、前記スロット構成に基づいて、物理下り制御チャネルＰＤＣＣＨを検出することを含み、前記Ｋが前記スロット構成が適用されるスロット個数であり、前記Ｌが１以上の整数であり、前記Ｋが１以上の整数である。
【００２１】
したがって、ＳＦＩによりスロット構成が適用されるスロット個数を指示することにより、前記スロット構成が適用されるスロット個数のスロット内で、ＳＦＩを再度繰り返し送信する必要がなくなり、シグナリングオーバーヘッドを小さくすることができるとともに、端末デバイスによるＰＤＣＣＨのブラインド検出の複雑度を低減することができる。
【００２２】
第１の態様と結合し、第１の態様の実現可能な方式において、前記１つの時間ユニットがＳＦＩを搬送するＤＣＩを伝送するための伝送周期であり、前記伝送周期が複数のスロットを含む。
【００２３】
第１の態様と結合し、第１の態様の実現可能な方式において、前記ＳＦＩは、１つの伝送周期内の各スロットに対応するスロット構成を示す。
【００２４】
第１の態様と結合し、第１の態様の実現可能な方式において、前記ＳＦＩが１つの伝送周期内の各スロットに含まれる下りシンボルの個数情報及び／又は、上りシンボルの個数情報を含み、前記端末デバイスが前記ＳＦＩに基づいて、１つの時間ユニットにおけるスロット構成及び前記スロット構成が適用される時間長のうちの少なくとも１つを決定することは、
前記端末デバイスが前記各スロット内の１番目のシンボルから始まるＭ個のシンボルを、前記各スロットにおいて下り伝送のための時間領域位置として決定すること、ここで、前記Ｍが前記各スロットの下りシンボルの個数であり、前記Ｍが０以上の整数であり、及び／又は、
前記端末デバイスが前記各スロット内の最後のシンボルから始まる前のＮ個のシンボルを、前記各スロットにおいて上り伝送のための時間領域位置として決定することを含み、ここで、前記Ｎが前記各スロットの上りシンボルの個数であり、前記Ｎが０以上の整数である。
【００２５】
第１の態様と結合し、第１の態様の実現可能な方式において、前記ＳＦＩが１つの伝送周期の各スロットのスロット構成インデックスを含み、前記スロット構成インデックスとスロット構成とが第３の対応関係を有し、前記端末デバイスが前記ＳＦＩに基づいて、１つの時間ユニットにおけるスロット構成及び前記スロット構成が適用される時間長のうちの少なくとも１つを決定することは、
前記端末デバイスが前記各スロットのスロット構成インデックス及び前記第３の対応関係に基づいて、前記各スロット内のスロット構成を決定することを含む。
【００２６】
第１の態様と結合し、第１の態様の実現可能な方式において、前記ＳＦＩは、ビットマップ方式で１つの伝送周期内の前記各スロットに対応するスロット構成を示す。
【００２７】
第１の態様と結合し、第１の態様の実現可能な方式において、前記端末デバイスが前記ＳＦＩに基づいて物理下り制御チャネルＰＤＣＣＨを検出することは、
前記端末デバイスが各伝送周期において、１つの伝送周期内の前記各スロットに対応するスロット構成に基づいて、ＰＤＣＣＨを検出することを含む。
【００２８】
第１の態様と結合し、第１の態様の実現可能な方式において、前記方法は、さらに、
前記端末デバイスが前記ネットワークデバイスにより送信された構成情報を受信することを含み、前記構成情報が、前記ＳＦＩを搬送するためのＤＣＩの前記伝送周期を構成する。
【００２９】
第２の態様は、データ伝送方法を提供し、
ネットワークデバイスがスロットフォーマット指示ＳＦＩを生成することと、
前記ネットワークデバイスが端末デバイスに前記ＳＦＩを送信することとを含み、
前記ＳＦＩが、１つの時間ユニットにおけるスロット構成及び前記スロット構成が適用される時間長のうちの少なくとも１つを示す。
【００３０】
第２の態様と結合し、第２の態様の実現可能な方式において、前記１つの時間ユニットが１つのスロットである。
【００３１】
第２の態様と結合し、第２の態様の実現可能な方式において、前記ＳＦＩが１つのスロットに含まれる下りシンボルの個数情報及び／又は、上りシンボルの個数情報を示す。
【００３２】
第２の態様と結合し、第２の態様の実現可能な方式において、前記ＳＦＩがスロット構成インデックスを示し、前記スロット構成インデックスとスロット構成とが第１の対応関係を有する。
【００３３】
第２の態様と結合し、第２の態様の実現可能な方式において、前記ＳＦＩは、前記スロット構成が適用されるスロット個数の情報を含む。
【００３４】
第２の態様と結合し、第２の態様の実現可能な方式において、ＳＦＩを搬送するためのＤＣＩが採用するスクランブル方式とスロット構成が適用されるスロット個数とが、第２の対応関係を有する。
【００３５】
第２の態様と結合し、第２の態様の実現可能な方式において、前記ＤＣＩが採用するスクランブル方式は、前記ＤＣＩのスクランブルが採用されるマスク及び／又は、無線ネットワーク一時識別子ＲＮＴＩを含む。
【００３６】
第２の態様と結合し、第２の態様の実現可能な方式において、前記１つの時間ユニットがＳＦＩを搬送するＤＣＩを伝送するための伝送周期であり、前記伝送周期が複数のスロットを含む。
【００３７】
第２の態様と結合し、第２の態様の実現可能な方式において、前記ＳＦＩは、１つの伝送周期内の各スロットに対応するスロット構成を示す。
【００３８】
第２の態様と結合し、第２の態様の実現可能な方式において、前記ＳＦＩが１つの伝送周期内の各スロットに含まれる下りシンボルの個数情報及び／又は、上りシンボルの個数情報を含む。
【００３９】
第２の態様と結合し、第２の態様の実現可能な方式において、前記ＳＦＩが１つの伝送周期の各スロットのスロット構成インデックスを含み、前記スロット構成インデックスとスロット構成とが第３の対応関係を有する。
【００４０】
第２の態様と結合し、第２の態様の実現可能な方式において、前記ＳＦＩは、ビットマップ方式で１つの伝送周期内の前記各スロットに対応するスロット構成を示す。
【００４１】
第２の態様と結合し、第２の態様の実現可能な方式において、前記方法は、さらに、
前記ネットワークデバイスが前記端末デバイスに構成情報を送信することを含み、前記構成情報は、前記ＳＦＩを搬送するためのＤＣＩの前記伝送周期を前記端末デバイスに構成する。 
第３の態様は、上記の第１の態様または第１の態様の任意の可能な実装における方法を実行するための端末デバイスを提供する。具体的には、この端末デバイスは、上記の第１の態様または第１の態様の任意の可能な実施例における方法を実行するためのユニットを含む。
【００４２】
第４の態様は、上記の第２の態様または第２の態様の任意の可能な実装における方法を実行するためのネットワークデバイスを提供する。具体的には、このネットワークデバイスは、上記の第２の態様または第２の態様の任意の可能な実施例における方法を実行するためのユニットを含む。
【００４３】
第５の態様は、メモリと、プロセッサと、入力インタフェースと、出力インタフェースとを有する端末デバイスを提供する。メモリ、プロセッサ、入力インタフェース、出力インタフェースは、バスシステムを介して接続される。メモリは、命令を記憶するために使用され、プロセッサは、メモリに記憶された命令を実行して、第１の態様または第１の態様の任意の可能な実施例において、方法を実行するために使用される。
【００４４】
第６の態様は、メモリと、プロセッサと、入力インタフェースと、出力インタフェースとを有するネットワークデバイスを提供する。メモリ、プロセッサ、入力インタフェース、出力インタフェースは、バスシステムを介して接続される。メモリは、命令を記憶するために使用され、プロセッサは、メモリに記憶された命令を実行して、第２の態様または第２の態様の任意の可能な実施例において、方法を実行するために使用される。
【００４５】
第７の態様は、上記の第１の態様または第１の態様の可能な実施例のいずれかを実行するための方法を実行するためのコンピュータソフトウェア命令を記憶するためのコンピュータ記憶媒体を提供し、上記の態様を実行するように設計されたプログラムを含む。
【００４６】
第８の態様は、上記の第２の態様または第２の態様の可能な実施例のいずれかを実行するための方法を実行するためのコンピュータソフトウェア命令を記憶するためのコンピュータ記憶媒体を提供し、上記の態様を実行するように設計されたプログラムを含む。
【００４７】
第９の態様は、命令を備えるコンピュータプログラム製品を提供し、コンピュータ上で実行されると、コンピュータに、上述の第１の態様または第１の態様の任意の実施態様における方法を実行させる。
【００４８】
第１０の態様は、命令を備えるコンピュータプログラム製品を提供し、コンピュータ上で実行されると、コンピュータに、上述の第２の態様または第２の態様の任意の実施態様における方法を実行させる。
【図面の簡単な説明】
【００４９】
【図１】本願の実施例における通信システムの模式図である。
【図２】ｓｌｏｔ−ｂａｓｅｄデータ伝送方式及びｎｏｎ−ｓｌｏｔ−ｂａｓｅｄデータ伝送方式の模式図である。
【図３】ｍｕｌｔｉ−ｓｌｏｔ及びシンプルｓｌｏｔのＳＦＩ指示方式の模式図である。
【図４】本願の実施例におけるデータ伝送方法のフォローチャートである。
【図５】本願の他の実施例におけるデータ伝送方法のフローチャートである。
【図６】本願の実施例における端末デバイスのブロック図である。
【図７】本願の実施例におけるネットワークデバイスのブロック図である。
【図８】本願の他の実施例における端末デバイスのブロック図である。
【図９】本願の他の実施例におけるネットワークデバイスのブロック図である。
【発明を実施するための形態】
【００５０】
以下、本願の実施例における技術的手段について、本願の実施例における図面を参照して説明する。
【００５１】
本願の実施例の技術は、様々な通信システムに適用可能であり、例えば、Ｇｌｏｂａｌ Ｓｙｓｔｅｍ ｏｆ Ｍｏｂｉｌｅ Ｃｏｍｍｕｎｉｃａｔｉｏｎ ( ＧＳＭ )方式、Ｃｏｄｅ Ｄｉｖｉｓｉｏｎ Ｍｕｌｔｉｐｌｅ Ａｃｃｅｓｓ ( ＣＤＭＡ )方式、Ｗｉｄｅｂａｎｄ Ｃｏｄｅ Ｄｉｖｉｓｉｏｎ Ｍｕｌｔｉｐｌｅ Ａｃｃｅｓｓ ( ＷＣＤＭＡ )方式、Ｇｅｎｅｒａｌ Ｐａｃｋｅｔ Ｒａｄｉｏ Ｓｅｒｖｉｃｅ ( ＧＰＲＳ )方式、Ｌｏｎｇ Ｔｅｒｍ Ｅｖｏｌｕｔｉｏｎ ( ＬＴＥ )方式、Ｆｒｅｑｕｅｎｃｙ Ｄｉｖｉｓｉｏｎ Ｄｕｐｌｅｘ ( ＦＤＤ )方式、Ｔｉｍｅ Ｄｉｖｉｓｉｏｎ Ｄｕｐｌｅｘ ( ＴＤＤ )方式、Ｕｎｉｖｅｒｓａｌ Ｍｏｂｉｌｅ Ｔｅｌｅｃｏｍｍｕｎｉｃａｔｉｏｎ Ｓｙｓｔｅｍ ( ＵＭＴＳ )方式、Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ ( ＷｉＭＡＸ )方式、将来の５Ｇ方式等の移動通信システム等に適用することができる。
【００５２】
図１は、本願の実施例が適用される無線通信システム１００を示す。無線通信システム１００は、ネットワークデバイス１１０を含み得る。ネットワークデバイス１００は、端末デバイスと通信する装置であってもよい。ネットワークデバイス１００は、特定の地理的エリアに通信カバレッジを提供し得、カバレッジエリア内に配置されたＵＥなどの端末デバイスと通信し得る。任意選択で、ネットワークデバイス１００は、ＧＳＭシステムまたはＣＤＭＡシステムにおける基地局( Ｂａｓｅ Ｔｒａｎｓｃｅｉｖｅｒ Ｓｔａｔｉｏｎ、ＢＴＳ )、ＷＣＤＭＡシステムにおける基地局( ＮｏｄｅＢ，ＮＢ )、ＬＴＥシステムにおける発展型基地局( Ｅｖｏｌｕｔｉｏｎａｌ Ｎｏｄｅ Ｂ、ｅＮＢ、又はｅＮｏｄｅＢ )、またはクラウド無線アクセスネットワーク( Ｃｌｏｕｄ Ｒａｄｉｏ Ａｃｃｅｓｓ Ｎｅｔｗｏｒｋ、ＣＲＡＮ )における無線コントローラであってもよく、または中継局、アクセスポイント、車載装置、ウェアラブル装置、将来の５Ｇネットワークにおけるネットワーク側装置、または将来の公衆地上モバイルネットワーク( Ｐｕｂｌｉｃ Ｌａｎｄ Ｍｏｂｉｌｅ Ｎｅｔｗｏｒｋ、ＰＬＭＮ )におけるネットワークデバイスなどであってもよい。
【００５３】
無線通信システム１００は、ネットワークデバイス１１０のカバレージ内に配置された少なくとも１つの端末デバイス１２０をさらに含む。端末デバイス１２０は、移動型であってもよいし、固定型であってもよい。任意選択で、端末デバイス１２０は、アクセス端末、ユーザ機器( Ｕｓｅｒ Ｅｑｕｉｐｍｅｎｔ、ＵＥ )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるＰＬＭＮにおける端末デバイスなどであり得る。
【００５４】
任意選択で、５Ｇシステム又はネットワークは、新たな無線( Ｎｅｗ Ｒａｄｉｏ、ＮＲ )システム又はネットワークと呼ばれることもある。
【００５５】
図１は、１つのネットワークデバイス及び２つの端末デバイスを例示的に示し、任意選択で、無線通信システム１００は、複数のネットワークデバイスを含み、各ネットワークデバイスのカバレージ内に他の数の端末デバイスを含んでもよく、本願の実施例は、これに限定されない。
【００５６】
任意選択で、この無線通信システム１００は、ネットワークコントローラ、モビリティ管理エンティティなどの他のネットワークエンティティをさらに含むことができ、本願の実施例はこれに限定されない。
【００５７】
ＮＲシステムの１つのスロットでは、スロット（ｓｌｏｔ−ｂａｓｅｄ）によるデータ伝送方式と、ノンスロット（ｎｏｎ−ｓｌｏｔ−ｂａｓｅｄ）によるデータ伝送方式とがサポートされる。図２に示すように、この２つのデータ伝送方式の相違点として、ｓｌｏｔ−ｂａｓｅｄデータ伝送方式において、データをスケジューリングするＤＣＩがスロットの先頭３つのシンボルに位置し、スロット単位でスケジューリングが行われ、ｎｏｎ−ｓｌｏｔ−ｂａｓｅｄデータ伝送方式において、データをスケジューリングするＤＣＩがスロットの任意の位置に位置し、１シンボル以上、例えば２シンボル、４シンボル、７シンボル等の単位でスケジューリングが行われる。
【００５８】
ＮＲシステムでは、ｍｕｌｔｉ−ｓｌｏｔとシングルｓｌｏｔのＳＦＩ指示モードがサポートされており、図３は、２つのモードの模式図である。
【００５９】
１スロットにおいて、各シンボルは複数の状態を有し、例えば、あるシンボルはＤＬシンボル、ＵＬシンボル、または未知のシンボルとすることができ、各シンボルの状態が２ビットで表される場合、１スロット内の１４個のシンボルは２８ビットで表される必要がある。図３に示すシングルスロットのＳＦＩ指示方式では、スロット１で受信したＳＦＩがスロット１のスロット構成を指示するために使用できるのであれば、ＳＦＩは２８ビット必要であり、図３におけるマルチスロットのＳＦＩ指示方式では、スロット１で受信したＳＦＩがスロット１〜スロット４のスロット構成を指示するために使用できるのであれば、ＳＦＩは２８×４ビットで４つのスロットのスロット構成を指示する必要があるため、ビット占有が大きくなり、また、２つの指示方式で必要なビット数が異なるため、端末デバイスにおけるＰＤＣＣＨのブラインド検出の複雑度がある程度高くなる。
【００６０】
本願の実施例は、上記に鑑み、ＳＦＩ指示のオーバーヘッドを低減し、端末デバイスによるＰＤＣＣＨのブラインド検出の複雑度を低減することができるデータ伝送方法を提供する。
【００６１】
図４は、本発明の実施例によるデータ伝送方法の概略的なフローチャートであり、図４に示すように、方法４００は、Ｓ４１０〜Ｓ４３０を含む。
【００６２】
Ｓ４１０において、端末デバイスがネットワークデバイスにより送信されたスロットフォーマット指示ＳＦＩを受信する。
【００６３】
Ｓ４２０において、前記端末デバイスが前記ＳＦＩに基づいて、１つの時間ユニットにおけるスロット構成及び前記スロット構成が適用される時間長のうちの少なくとも１つを決定する。
【００６４】
Ｓ４３０において、前記端末デバイスが前記ＳＦＩに基づいて物理下り制御チャネルＰＤＣＣＨを検出する。
【００６５】
なお、本願の実施例において、前記１つの時間ユニットは、１つ又は複数のスロットであってもよく、又は、１つ又は複数の伝送時間間隔( Ｔｒａｎｓｍｉｓｓｉｏｎ Ｔｉｍｅ Ｉｎｔｅｒｖａｌ、ＴＴＩ )等であってもよく、本願の実施例はこれに限定されない。
【００６６】
具体的には、前記端末デバイスは、ＳＦＩに基づいて、１つの時間ユニットでのスロット構成を決定し、さらに、この時間ユニットでのスロット構成が適用される時間長を決定してもよく、例えば、その時間ユニットでのスロット構成を１以上の時間ユニットに適用してもよい。任意選択で、前記１つの時間ユニットが１つのスロットである場合、前記スロット構成が適用される時間長は、１つ以上のスロットであってもよく、すなわち、１つ以上のスロット上で、端末デバイスはスロット構成に従ってＰＤＣＣＨ検出を行ってもよい。任意選択で、前記１つの時間ユニットは、１つの伝送周期(該伝送周期は複数のスロットを含んでもよい)であってもよく、その場合、前記ＳＦＩは、該伝送周期内の各スロットのスロット構成を指示するために使用され、その際、前記ＳＦＩにより指示されるスロット構成が適用される時間長は、１つ以上の伝送周期であってもよい。
【００６７】
すなわち、１つの時間帯のスロット構成が周期的であれば、その時間ユニットのスロット構成と、その時間ユニットのスロット構成が適用される時間長とで示すことができる。例えば、１つのスロット構成がＫ(Ｋは１以上の整数)個のスロットに適用されてもよく、すなわち、該スロット構成が該Ｋ個のスロット内で周期性を有する場合、該Ｋ個のスロットの全てが、前記１つのスロット構成を採用してもよく、又は、Ｎ(Ｎは１以上の整数)個のスロット構成が、Ｎ×Ｍ個(Ｍは正の整数)のスロットに適用され、Ｎ×Ｍ個のスロットのそれぞれが、前記Ｎ個のスロット構成が採用されてもよい。
【００６８】
したがって、本願の実施例におけるＳＦＩは、従来のＳＦＩと異なり、このＳＦＩは、１つの時間ユニット内のスロット構成を指示するだけでなく、そのスロット構成が適用される時間長を指示するために使用することができ、これにより、ある時間ユニット(現在の時間ユニットでもよいし、現在の時間ユニットよりも１つ後の時間ユニットでもよい)から後のいくつかの時間ユニット内でそのスロット構成を採用することができ、後のいくつかの時間ユニット内でＳＦＩを送信する必要がなくなり、オーバーヘッドシグナリングを低減することができるとともに、端末デバイスによるＰＤＣＣＨのブラインド検出の複雑度を低減することができる。
【００６９】
以下、具体的な実施例を参照しながら、本願の実施例に係るＳＦＩの指示方法を詳細に説明する。以下の例は、当業者が本発明の実施例をより良く理解するのを助けるためのものであり、本発明の実施例の範囲を制限するものではないことを理解されたい。当業者であれば、以下の実施例から、等価な様々な修正や変形を行うことが可能であり、そのような修正や変形も本願の実施例の範囲内に含まれることは明らかである。
【００７０】
実施例１
この実施例において、前記ＳＦＩが１つのスロットに含まれる下りシンボルの個数情報及び／又は、上りシンボルの個数情報を示す。
【００７１】
１スロット内に含まれる下りシンボルの個数をＭ、１スロット内に含まれる上りシンボルの個数をＮ( Ｍ、Ｎは整数)とし、０≦Ｍ≦Ｘ、０≦Ｎ≦Ｘ、０≦Ｍ＋Ｎ≦Ｘ、Ｘは１スロット内の総シンボル個数、例えばＸ ＝ １４である。このように、下りシンボルの数と上りシンボルの数を表すために必要なビット数は、最大で８ビットである。従って、本願の実施例のＳＦＩの指示方法は、１スロット内のシンボル毎の状態を指示する必要がなく、従来技術において１スロット内のシンボル毎の状態を指示する方式( ２８ビット指示を採用する必要があり得る)に対して、シグナリングオーバーヘッドを低減することができる。
【００７２】
任意選択で、前記スロットに予約シンボルが含まれ、前記予約シンボルが前記スロットの先頭のシンボルからＹ個のシンボルである場合、前記ＳＦＩが示す前記スロットに含まれるＤＬシンボルの数はＭであり、Ｙ＋１番目のシンボルからＭ個のシンボルがＤＬシンボルであり、前記ＳＦＩが示す前記スロットに含まれるＵＬシンボルの数はＮであり、前記スロットの最後のシンボルからＮ個前のシンボルがＵＬシンボルである。
【００７３】
任意選択で、前記スロットに予約シンボルが含まれ、前記予約シンボルが前記スロットの最後のシンボルからＹ個前のシンボルである場合、前記ＳＦＩが示す前記スロットに含まれるＤＬシンボルの数はＭであり、先頭のシンボルからＭ個のシンボルがＤＬシンボルであり、前記ＳＦＩが示す前記スロットに含まれるＵＬシンボルの数はＮであり、最後のＹ＋１シンボルからＮ個前のシンボルはＵＬシンボルである。
【００７４】
任意選択で、前記ＳＦＩは、下りシンボルの個数のみを示してもよく、端末デバイスは、最初のシンボルからＭシンボルをＤＬシンボルとして決定し、さらに、端末デバイスは、ＤＬシンボル上でＰＤＣＣＨを検出してもよく、任意選択で、データの送信が必要な場合、前記端末デバイスは、ＰＤＣＣＨスケジューリングされたＤＬシンボル上で下り伝送を行ってもよく、または、ＰＤＣＣＨスケジューリングされたＵＬシンボル上で上り伝送を行ってもよい。
【００７５】
任意選択で、前記ＳＦＩは、下りシンボルの個数及び上りシンボルの個数を示し、端末デバイスは、最初のシンボルからＭ個のシンボルをＤＬシンボルとして決定し、最後のシンボルからＮ個のシンボルをＵＬシンボルとして決定し、さらに、端末デバイスは、このＤＬシンボル上でＰＤＣＣＨを検出し、任意選択で、データ伝送が必要な場合に、ＵＬシンボル上で上り伝送を行うことができる。
【００７６】
すなわち、端末デバイスは、１つのスロット内の下りシンボルの個数情報及び/又は上りシンボルの個数情報に基づいて、１つのスロット内の下り送信のための時間領域位置及び上り送信のための時間領域位置を知ることができ、さらに、Ｓ４３０は、
前記端末デバイスが１番目のシンボルから始まる前記Ｍ個のシンボルにおいてＰＤＣＣＨを検出することを含む。
【００７７】
すなわち、前記端末デバイスは、下り伝送のための時間領域位置(すなわち、ＤＬシンボル)でＰＤＣＣＨを検出し、任意選択で、伝送すべきデータがある場合には、上り伝送のための時間領域位置(すなわち、ＵＬシンボル)で上り伝送を行うことができる。
【００７８】
実施例２
この実施例において、ＳＦＩは、スロット構成インデックスを示すものであり、１つの時間ユニットが１つのスロットであることを例とし、１つのスロット内のスロット構成はＮタイプあり、各スロット構成インデックスは１つのタイプのスロット構成に対応し、端末デバイスは、このスロット構成インデックスから目標のスロット構成を知ることができ、スロット構成インデックスを示すのに必要なビット数はスロット構成の総数に関連し、例えば、８つのタイプのスロット構成に対してはスロット構成インデックスに必要なビット数は３、１０つのタイプのスロット構成に対してはスロット構成インデックスに必要なビット数は４とすることができる。従って、本願の実施例のＳＦＩの指示方法は、１つのスロット内のシンボル毎の状態を指示する必要がなく、１スロット内のシンボル毎の状態を指示する方式( ２８ビットで指示する必要があり得る)に対して、シグナリングオーバーヘッドを低減することができる。
【００７９】
具体的な実施例において、Ｓ４２０は、
前記端末デバイスが前記スロット構成インデックス及び第１の対応関係に基づいて、１つのスロット内のスロット構成を決定することを含み、前記第１の対応関係がスロット構成インデックスとスロット構成との対応関係である。
【００８０】
すなわち、スロット構成インデックスとスロット構成は、第１の対応関係を有してもよく、この第１の対応関係は、テーブル形式、あるいはツリー形式などであってもよく、本願の実施例はこれに限定されない。前記端末デバイスは、前記ＳＦＩを受信すると、ＳＦＩが示すスロット構成インデックスに基づいて、前記第１の対応関係を検索し、該スロット構成インデックスに対応するスロット構成を取得し、該スロット構成に基づいてＰＤＣＣＨをブラインド検出することができる。
【００８１】
任意選択で、この第１の対応関係は、ネットワークデバイスが端末デバイスに予め構成されたものであってもよく、例えば、ネットワークデバイスは、半静的シグナリングを介して端末デバイスに予め構成されてもよく、又は第１の対応関係は、端末デバイスに予め構成されてもよく、本願の実施例はこれに限定されない。
【００８２】
限定ではなく例として、第１の対応関係は、表１に示されるようになっていてもよい。
【表１】
2021501495.tif 000003
【００８３】
例えば、ＳＦＩで示されるスロット構成インデックスが４の場合、端末デバイスは、表１から、そのスロット構成インデックス４に対応するスロット構成において、ＤＬシンボル数が９、未知シンボル数が３、ＵＬシンボル数が２であることを確認でき、さらに、端末デバイスは、１番目のシンボルから９個のシンボル(シンボル０〜８ )をＤＬシンボル、シンボル９から３個のシンボル(シンボル９〜１１ )を未知シンボル、シンボル１２及び１３をＵＬシンボルと決定することできるので、シンボル０〜８でＰＤＣＣＨを検出でき、データを伝送する必要がある場合には、シンボル１２及び１３で上り伝送も行うことができる。
【００８４】
端末デバイスは、上記実施例１および実施例２に従って、１つのスロット内のスロット構成を決定した後、さらに、ｓｌｏｔ−ｂａｓｅｄデータ伝送方式またはｎｏｎ−ｓｌｏｔ−ｂａｓｅｄデータ伝送方式を用いてデータ伝送を行うことができる。
【００８５】
なお、端末デバイスは、実施例１又は実施例２に記載の指示方式を用いてマルチスロット又はシングルスロットの指示を行うことができ、例えば、ＳＦＩは、１つのスロット内のスロット構成を指示するための１つのスロット構成インデックスを含むことができ、又は、複数のスロット内のスロット構成を指示するための複数のスロット構成を含むこともでき、または、ＳＦＩは、１つのスロットに含まれる下りシンボルの数及び/又は上りシンボルの数の情報を含んでもよいし、複数スロットの各スロットに含まれる下りシンボルの数及び/又は上りシンボルの数の情報を含んでもよい。
【００８６】
以上、実施例１及び実施例２を用いて、前記ＳＦＩがどのようにスロット構成を指示するかについて説明したが、以下、実施例３及び実施例４を用いて、前記端末デバイスが、該スロット構成が適用される時間長の指示をどのように行うかについて説明する。
【００８７】
なお、実施例３及び実施例４において、ＳＦＩは、１つのスロット内のスロット構成を指示するために用いてもよく、例えば、実施例１又は実施例２で説明したように１つのスロット内のスロット構成を指示するようにしてもよく、或いは、既存の指示方法を用いて１つのスロット内のスロット構成を指示するようにしてもよい。
【００８８】
実施例３
この実施例では、前記ＳＦＩは、前記スロット構成が適用されるスロット個数の情報を含んでもよく、即ち、前記ＳＦＩは、前記スロット構成が適用されるスロット個数を指示するために使用されてもよく、例えば、前記ＳＦＩには、スロット個数の指示領域が含まれてもよく、例えば、該スロット個数の指示領域は３ビットであってもよく、ＳＦＩは、スロット構成が適用されるスロット個数が最大８であることを指示してもよく、そうすると、前記スロット構成が適用されるスロット個数のスロット内で、ＳＦＩを再度送信する必要がなくなり、シグナリングオーバーヘッドを低減することができると共に、端末デバイスによるＰＤＣＣＨのブラインド検出の複雑度を低減することもできる。
【００８９】
すなわち、端末デバイスは、実施例１及び実施例３、実施例２及び実施例３、又は従来技術におけるスロット構成の指示形態及び実施例３に従って、１つのスロット内のスロット構成及びそのスロット構成が適用されるスロット個数を決定することができ、この場合、このＳＦＩは、少なくとも２つの指示領域を含み、その１つ指示領域は、１つのスロット内のスロット構成を指示し、そのスロット構成は、実施例１又は実施例２で説明した方式で指示されてもよいし、既存の指示方式で指示されてもよく、この指示領域は、ｓｌｏｔ−ｂａｓｅｄのデータ伝送方式及びｎｏｎ−ｓｌｏｔ−ｂａｓｅｄのデータ伝送方式に適用され、他の指示領域は、スロット構成が適用されるスロットの個数を示すために使用され、すなわち、本願の実施例のＳＦＩは、マルチスロット指示及びシングルスロット指示に同様適用され得る。
【００９０】
実施例４
この実施例では、前記ＳＦＩを搬送するための下り制御メッセージＤＣＩによって採用されるスクランブル方式は、前記スロット構成が適用されるスロットの数を間接的に示すために使用され得る。
【００９１】
具体的な実施例として、Ｓ４２０は、
前記端末デバイスが、前記ＳＦＩを搬送するための下り制御メッセージＤＣＩが採用するスクランブル方式、及び第２の対応関係に基づいて、前記スロット構成が適用されるスロット個数を決定することを含み、ここで、前記第２の対応関係がＳＦＩを搬送するためのＤＣＩが採用するスクランブル方式とスロット構成が適用されるスロット個数との対応関係である。
【００９２】
すなわち、前記ＳＦＩを搬送するための下り制御メッセージＤＣＩが採用するスクランブル方式とスロット構成は、テーブル形式、又はツリー形式などの第２の対応関係を有することができ、本発明の実施例はこれに限定されない。端末デバイスは、ＳＦＩを搬送するＤＣＩを受信すると、ＤＣＩによって採用され得るスクランブル方式と第２の対応関係を参照し、このスクランブル方式が対応するスロット構成を決定し、さらに、端末デバイスは、スロット構成に従ってＰＤＣＣＨをブラインド検出することができる。
【００９３】
任意選択で、この第２の対応関係は、ネットワークデバイスが端末デバイスに予め構成されたものであってもよく、例えば、ネットワークデバイスは、半静的シグナリングを介して端末デバイスに予め構成されてもよく、又は第２の対応関係は、端末デバイスに予め構成されてもよく、本願の実施例はこれに限定されない。
【００９４】
任意選択で、前記ＤＣＩによって採用されるスクランブル方式は、ＤＣＩをスクランブルするために採用されるマスクおよび/または無線ネットワーク一時識別子( Ｒａｄｉｏ Ｎｅｔｗｏｒｋ Ｔｅｍｐｏｒａｒｙ Ｉｄｅｎｔｉｆｉｅｒ、ＲＮＴＩ )を含み、すなわち、端末デバイスは、ＤＣＩに対応するマスクおよび/またはRＮTIに従って、対応するスロット構成を決定することができる。
【００９５】
具体的に、
2021501495.tif 000004
【表２】
2021501495.tif 000005
【００９６】
例えば、ＳＦＩを搬送するＤＣＩによって採用されるマスクが<１, ０, １, ０, １, ０, １, ０, １, ０, １, ０, １, ０, １, ０>である場合、前記端末デバイスは、該ＳＦＩが示すスロット構成が適用されるスロット個数が３であると決定することができる。
【００９７】
したがって、実施例３及び実施例４によれば、スロット構成が適用されるスロットの個数を決定することができ、さらに、Ｓ４３０は、具体的には 
前記端末デバイスが現在のスロット又は現在のスロットの後のＬ個のスロットから始まるＫ個のスロットにおいて、前記スロット構成に基づいて、物理下り制御チャネルＰＤＣＣＨを検出することを含み、前記Ｋが前記スロット構成が適用されるスロット個数であり、前記Ｌが１以上の整数であり、前記Ｋが１以上の整数である。
【００９８】
すなわち、端末デバイスは、現在のスロットから開始してもよいし、現在のスロットの後のL番目のスロットから開始してもよいし、その後のＫ個のスロット内で、そのスロット構成に従ってＰＤＣＣＨ検出を行うことで、すなわち、このＫ個のスロット内でＳＦＩを再度送信する必要がなくなり、シグナリングオーバーヘッドを低減することができるとともに、端末デバイスによるＰＤＣＣＨのブラインド検出の複雑度を低減することができる。
【００９９】
このため、前記端末デバイスは、実施例１及び実施例４、あるいは、実施例２および実施例４、あるいは、従来技術におけるスロット構成の指示の方式および実施例４を用いて、１つのスロット内のスロット構成およびそのスロット構成が適用されるスロット個数を決定した場合、ＳＦＩは少なくとも１つの指示領域を含み、この指示領域は、１つのスロット内のスロット構成を指示し、このスロット構成は、実施例１または実施例２で述べた指示方式を用いてもよく、あるいは従来の指示方式を用いてもよく、この指示領域は、ｓｌｏｔ−ｂａｓｅｄのデータ伝送方式とｎｏｎ−ｓｌｏｔ−ｂａｓｅｄのデータ伝送方式とに適用され、前記スロット構成が適用されるスロット数は、実施例４で述べたように指示されてもよく、すなわち、ＳＦＩを搬送ＤＣＩに採用されるスクランブル方式によって、スロット構成が適用されるスロット数を間接的に指示することができる。
【０１００】
以下、実施例５と参照し、１つの時間ユニットがＳＦＩを搬送するＤＣＩを送信するための伝送周期であることを例とし、ＳＦＩの指示方式を説明するが、この実施例では、前記伝送周期は複数のスロットを含み、前記ＳＦＩは、１つの伝送周期内の各スロットに対応するロット構成を指示し、各スロットのロット構成は、前記実施例における指示方式でよいため、簡潔にするために、具体的な実現手順を省略する。
【０１０１】
任意選択で、１つの実施例として、前記ＳＦＩが１つの伝送周期内の各スロットに含まれる下りシンボルの個数情報及び／又は、上りシンボルの個数情報を含み、この場合、Ｓ４２０は、
前記端末デバイスが前記各スロット内の１番目のシンボルから始まるＭ個のシンボルを、前記各スロットにおいて下り伝送のための時間領域位置として決定すること、及び／又は、
前記端末デバイスが前記各スロット内の最後のシンボルから始まる前のＮ個のシンボルを、前記各スロットにおいて上り伝送のための時間領域位置として決定することを含み、
ここで、前記Ｍが前記各スロットの下りシンボルの個数であり、前記Ｍが０以上の整数であり、
ここで、前記Ｎが前記各スロットの上りシンボルの個数であり、前記Ｎが０以上の整数である。
【０１０２】
すなわち、前記端末デバイスは、１つの伝送周期内の各スロットに含まれる下りシンボルの個数情報及び/又は上りシンボルの個数情報に基づいて、前記各スロットのスロット構成を決定し、さらに、各伝送周期内において、各スロットのスロット構成に基づいてＰＤＣＣＨ検出を行うことができる。
【０１０３】
例えば、１つの伝送周期が４つのスロットであり、この伝送周期内の１番目のスロット内に８つの下りシンボルが含まれ、２番目のスロット内に９つの下りシンボルが含まれ、３番目のスロット内に１０つの下りシンボルが含まれ、４番目のスロット内に９つの下りシンボルが含まれる場合、各伝送周期内で、スロット構成が適用される時間長が無効化するまで、端末デバイスは、１番目のスロット内の最初の８つのシンボルでＰＤＣＣＨを検出し、２番目のスロット内の最初の９つのシンボルでＰＤＣＣＨを検出し、３番目のスロット内の最初の１０シンボルでＰＤＣＣＨを検出し、４番目のスロット内の最初の９つのシンボルでＰＤＣＣＨを検出する。
【０１０４】
任意選択で、他の実施例として、前記ＳＦＩが１つの伝送周期の各スロットのスロット構成インデックスを含み、前記スロット構成インデックスとスロット構成とが第３の対応関係を有し、前記端末デバイスが前記ＳＦＩに基づいて、１つの時間ユニットにおけるスロット構成及び前記スロット構成が適用される時間長のうちの少なくとも１つを決定することは、
前記端末デバイスが前記各スロットのスロット構成インデックス及び前記第３の対応関係に基づいて、前記各スロット内のスロット構成を決定することを含む。
【０１０５】
すなわち、端末デバイスは、１つの伝送周期内の各スロットのスロット構成インデックスから、第３の対応関係を参照し、１つの周期内の各スロットのスロット構成を決定し、さらに、各伝送周期内において、各スロットのスロット構成に基づいてＰＤＣＣＨ検出を行うことができる。
【０１０６】
任意選択で、前記第３の対応関係は、前述した第１の対応関係と同じであっても異なっていてもよく、仮に前記第３の対応関係が表１に示す対応関係であってもよく、１つの伝送周期が４つのスロットであり、４つのスロットのスロット構成インデックスは、それぞれ、４、２、３、２である。この場合、端末デバイスは、上記各スロット毎のスロット構成インデックスから、各スロットに対応するスロット構成を決定し、さらに、各スロット毎のスロット構成に基づいてＰＤＣＣＨ検出を行うことができ、ＰＤＣＣＨのブラインド検出の複雑度を低減することができる。
【０１０７】
具体的な実施例において、前記ＳＦＩは、ビットマップ（ｂｉｔｍａｐ）方式を用いて、１つの伝送周期の各スロットに対応するスロット構成を示す。
【０１０８】
任意選択で、いくつかの実施例において、前記方法４００は、さらに、
前記端末デバイスが前記ネットワークデバイスにより送信された構成情報を受信することを含み、前記構成情報が、前記ＳＦＩを搬送するためのＤＣＩの前記伝送周期を構成する。
【０１０９】
例えば、ネットワークデバイスは、半静的シグナリング(例えば、ＲＲＣシグナリング)により端末デバイスに伝送周期を構成することができ、これにより、端末デバイスは、伝送周期が変化しない場合、各伝送周期内で各スロットのスロット構成に応じてＰＤＣＣＨ検出を行うことができ、ブラインド検出の複雑度を低減することができる。
【０１１０】
以上、図４を参照して本発明の実施例によるデータ伝送方法を端末デバイスから説明したが、以下、図５を参照して本発明の他の実施例によるデータ伝送方法をネットワークデバイスから詳細に説明する。なお、ネットワークデバイス側の説明と端末デバイス側の説明は、互いに対応しており、同様の説明は、上記を参照してもよく、重複の説明を省略する。
【０１１１】
図５は、本発明の他の実施例によるデータ伝送方法の概略的なフローチャートであり、図５に示すように、方法５００は 、Ｓ５１０及びＳ５２０を含む。
【０１１２】
Ｓ５１０において、ネットワークデバイスがスロットフォーマット指示ＳＦＩを生成し、前記ＳＦＩが、１つの時間ユニットにおけるスロット構成及び前記スロット構成が適用される時間長のうちの少なくとも１つを示す。
【０１１３】
Ｓ５２０において、前記ネットワークデバイスが端末デバイスに前記ＳＦＩを送信する。
【０１１４】
任意選択で、いくつかの実施例において、前記１つの時間ユニットが１つのスロットである。
【０１１５】
任意選択で、いくつかの実施例において、前記ＳＦＩが１つのスロットに含まれる下りシンボルの個数情報及び／又は、上りシンボルの個数情報を示す。
【０１１６】
任意選択で、いくつかの実施例において、前記ＳＦＩがスロット構成インデックスを示し、前記スロット構成インデックスとスロット構成とが第１の対応関係を有する。
【０１１７】
任意選択で、いくつかの実施例において、前記ＳＦＩは、前記スロット構成が適用されるスロット個数の情報を含む。
【０１１８】
任意選択で、いくつかの実施例において、ＳＦＩを搬送するためのＤＣＩが採用するスクランブル方式とスロット構成が適用されるスロット個数とが、第２の対応関係を有する。
【０１１９】
任意選択で、いくつかの実施例において、前記ＤＣＩが採用するスクランブル方式は、前記ＤＣＩのスクランブルが採用されるマスク及び／又は、無線ネットワーク一時識別子ＲＮＴＩを含む。
【０１２０】
任意選択で、いくつかの実施例において、前記１つの時間ユニットがＳＦＩを搬送するＤＣＩを伝送するための伝送周期であり、前記伝送周期が複数のスロットを含む。
【０１２１】
任意選択で、いくつかの実施例において、前記ＳＦＩは、１つの伝送周期内の各スロットに対応するスロット構成を示す。
【０１２２】
任意選択で、いくつかの実施例において、前記ＳＦＩが１つの伝送周期内の各スロットに含まれる下りシンボルの個数情報及び／又は、上りシンボルの個数情報を含む。
【０１２３】
任意選択で、いくつかの実施例において、前記ＳＦＩが１つの伝送周期の各スロットのスロット構成インデックスを含み、前記スロット構成インデックスとスロット構成とが第３の対応関係を有する。
【０１２４】
任意選択で、いくつかの実施例において、前記ＳＦＩは、ビットマップ方式で１つの伝送周期内の前記各スロットに対応するスロット構成を示す。
【０１２５】
任意選択で、いくつかの実施例において、前記方法５００は、さらに、
前記ネットワークデバイスが前記端末デバイスに構成情報を送信することを含み、前記構成情報は、前記ＳＦＩを搬送するためのＤＣＩの前記伝送周期を前記端末デバイスに構成する。
【０１２６】
図４及び図５を参照し、本願の方法の実施例が説明され、以下、本願の装置の実施例が、図６〜図９を参照して詳細に説明されるが、装置の実施例と方法の実施例とは互いに対応し、同様の説明は方法の実施例を参照し得る。
【０１２７】
図６は本願の実施例における端末デバイス６００のブロック図である。図６に示すように、この端末デバイスは、通信モジュール６１０と決定モジュール６２０を含み、
通信モジュール６１０は、ネットワークデバイスにより送信されたスロットフォーマット指示ＳＦＩを受信するように構成され、
決定モジュール６２０は、前記ＳＦＩに基づいて、１つの時間ユニットのスロット構成と前記スロット構成が適用される時間長のうちの少なくとも１つを決定するように構成され、
前記通信モジュール６１０は、さらに、前記ＳＦＩに基づいて物理下り制御チャネルＰＤＣＣＨを検出するように構成される。
【０１２８】
任意選択で、いくつかの実施例において、前記１つの時間ユニットが１つのスロットである。
【０１２９】
任意選択で、いくつかの実施例において、前記ＳＦＩが１つのスロットに含まれる下りシンボルの個数情報及び／又は、上りシンボルの個数情報を示し、前記決定モジュール６２０は、具体的に、
１つのスロット内の１番目のシンボルから始まるＭ個のシンボルを、下り伝送のための時間領域位置として決定するように構成され、ここで、前記Ｍが前記下りシンボルの個数であり、前記Ｍが０以上の整数であり、及び／又は、
１つのスロット内の最後のシンボルから始まる前のＮ個のシンボルを、上り伝送のための時間領域位置として決定するように構成され、ここで、前記Ｎが前記上りシンボルの個数であり、前記Ｎが０以上の整数である。
【０１３０】
任意選択で、いくつかの実施例において、前記通信モジュール６１０は、具体的に、
１番目のシンボルから始まる前記Ｍ個のシンボルにおいてＰＤＣＣＨを検出するように構成される。
【０１３１】
任意選択で、いくつかの実施例において、前記ＳＦＩがスロット構成インデックスを示し、前記決定モジュール６２０は、具体的に、
前記スロット構成インデックス及び第１の対応関係に基づいて、１つのスロット内のスロット構成を決定するように構成され、前記第１の対応関係がスロット構成インデックスとスロット構成との対応関係である。
【０１３２】
任意選択で、いくつかの実施例において、前記ＳＦＩは、前記スロット構成が適用されるスロット個数の情報を含む。
【０１３３】
任意選択で、いくつかの実施例において、前記決定モジュール６２０は、具体的に、
前記ＳＦＩを搬送するための下り制御メッセージＤＣＩに採用されるスクランブル方式及び第２の対応関係に基づいて、前記スロット構成が適用されるスロット個数を決定するように構成され、ここで、前記第２の対応関係がＳＦＩを搬送するためのＤＣＩが採用するスクランブル方式とスロット構成が適用されるスロット個数との対応関係である。
【０１３４】
任意選択で、いくつかの実施例において、前記ＤＣＩが採用するスクランブル方式は、前記ＤＣＩのスクランブルが採用されるマスク及び／又は、無線ネットワーク一時識別子ＲＮＴＩを含む。
【０１３５】
任意選択で、いくつかの実施例において、前記通信モジュール６１０は、具体的に、
現在のスロット又は現在のスロットの後のＬ個のスロットから始まるＫ個のスロットにおいて、前記スロット構成に基づいて、物理下り制御チャネルＰＤＣＣＨを検出するように構成され、前記Ｋが前記スロット構成が適用されるスロット個数であり、前記Ｌが１以上の整数であり、前記Ｋが１以上の整数である。
【０１３６】
任意選択で、いくつかの実施例において、前記１つの時間ユニットがＳＦＩを搬送するＤＣＩを伝送するための伝送周期であり、前記伝送周期が複数のスロットを含む。
【０１３７】
任意選択で、いくつかの実施例において、前記ＳＦＩは、１つの伝送周期内の各スロットに対応するスロット構成を示す。
【０１３８】
任意選択で、いくつかの実施例において、前記ＳＦＩが１つの伝送周期内の各スロットに含まれる下りシンボルの個数情報及び／又は、上りシンボルの個数情報を含み、前記決定モジュール６２０は、具体的に、
前記各スロット内の１番目のシンボルから始まるＭ個のシンボルを、前記各スロットにおいて下り伝送のための時間領域位置として決定するように構成され、ここで、前記Ｍが前記各スロットの下りシンボルの個数であり、前記Ｍが０以上の整数であり、及び／又は、
前記各スロット内の最後のシンボルから始まる前のＮ個のシンボルを、前記各スロットにおいて上り伝送のための時間領域位置として決定するように構成され、ここで、前記Ｎが前記各スロットの上りシンボルの個数であり、前記Ｎが０以上の整数である。
【０１３９】
任意選択で、いくつかの実施例において、前記ＳＦＩが１つの伝送周期の各スロットのスロット構成インデックスを含み、前記スロット構成インデックスとスロット構成とが第３の対応関係を有し、前記決定モジュール６２０は、具体的に、
前記各スロットのスロット構成インデックス及び前記第３の対応関係に基づいて、前記各スロットのスロット構成を決定するように構成される。
【０１４０】
任意選択で、いくつかの実施例において、前記ＳＦＩは、ビットマップ方式で１つの伝送周期内の前記各スロットに対応するスロット構成を示す。
【０１４１】
任意選択で、いくつかの実施例において、前記通信モジュール６１０は、具体的に、
各伝送周期において、１つの伝送周期の前記各スロットに対応するスロット構成に基づいて、ＰＤＣＣＨを検出するように構成される。
【０１４２】
任意選択で、いくつかの実施例において、前記通信モジュール６１０は、さらに、
前記ネットワークデバイスにより送信された構成情報を受信するように構成され、前記構成情報が、前記ＳＦＩを搬送するためのＤＣＩの前記伝送周期を構成する。
【０１４３】
なお、本願の実施例による端末デバイス６００は、本願の方法の実施例による端末デバイスに対応することができ、端末デバイス６００の各ユニットの上述の及び他の動作及び/又は機能は、図４に示す方法４００における端末デバイスの対応するフローをそれぞれ実現するために、簡潔のためにここでは説明を省略する。
【０１４４】
図７は本願の実施例におけるネットワークデバイス７００のブロック図である。図７に示すように、このネットワークデバイス７００は、生成モジュール７１０と通信モジュール７２０を含む。
【０１４５】
生成モジュール７１０は、スロットフォーマット指示ＳＦＩを生成するように構成され、前記ＳＦＩが、１つの時間ユニットにおけるスロット構成及び前記スロット構成が適用される時間長のうちの少なくとも１つを示す。
【０１４６】
通信モジュール７２０は、端末デバイスに前記ＳＦＩを送信するように構成される。
【０１４７】
任意選択で、いくつかの実施例において、前記１つの時間ユニットが１つのスロットである。
【０１４８】
任意選択で、いくつかの実施例において、前記ＳＦＩが１つのスロットに含まれる下りシンボルの個数情報及び／又は、上りシンボルの個数情報を示す。
【０１４９】
任意選択で、いくつかの実施例において、前記ＳＦＩがスロット構成インデックスを示し、前記スロット構成インデックスとスロット構成とが第１の対応関係を有する。
【０１５０】
任意選択で、いくつかの実施例において、前記ＳＦＩは、前記スロット構成が適用されるスロット個数の情報を含む。
【０１５１】
任意選択で、いくつかの実施例において、ＳＦＩを搬送するためのＤＣＩが採用するスクランブル方式とスロット構成が適用されるスロット個数とが、第２の対応関係を有する。
【０１５２】
任意選択で、いくつかの実施例において、前記ＤＣＩが採用するスクランブル方式は、前記ＤＣＩのスクランブルが採用されるマスク及び／又は、無線ネットワーク一時識別子ＲＮＴＩを含む。
【０１５３】
任意選択で、いくつかの実施例において、前記１つの時間ユニットがＳＦＩを搬送するＤＣＩを伝送するための伝送周期であり、前記伝送周期が複数のスロットを含む。
【０１５４】
任意選択で、いくつかの実施例において、前記ＳＦＩは、１つの伝送周期内の各スロットに対応するスロット構成を示す。
【０１５５】
任意選択で、いくつかの実施例において、前記ＳＦＩが１つの伝送周期内の各スロットに含まれる下りシンボルの個数情報及び／又は、上りシンボルの個数情報を含む。
【０１５６】
任意選択で、いくつかの実施例において、前記ＳＦＩが１つの伝送周期の各スロットのスロット構成インデックスを含み、前記スロット構成インデックスとスロット構成とが第３の対応関係を有する。
【０１５７】
任意選択で、いくつかの実施例において、前記ＳＦＩは、ビットマップ方式で１つの伝送周期内の前記各スロットに対応するスロット構成を示す。
【０１５８】
任意選択で、いくつかの実施例において、前記通信モジュール７２０は、さらに、
前記端末デバイスに構成情報を送信するように構成され、前記構成情報は、前記ＳＦＩを搬送するためのＤＣＩの前記伝送周期を前記端末デバイスに構成する。
【０１５９】
なお、本発明の実施例によるネットワークデバイス７００は、本願の方法の実施例におけるネットワークデバイスに対応することができ、ネットワークデバイス７００の様々なユニットの上記及び他の動作及び/又は機能は、それぞれ、図５に示す方法５００におけるネットワークデバイスの対応するフローを実施するために、簡潔のためにここでは説明を省略する。
【０１６０】
図８に示されるように、本願の実施例は、端末デバイス８００を提供し、この端末デバイス８００は図６の端末デバイス６００であっても良く、図４の方法４００に対応する端末デバイスのコンテンツを実行するために使用される。端末デバイス８００は、入力インターフェース８１０、出力インターフェース８２０、プロセッサ８３０、及びメモリ８４０を含み、入力インターフェース８１０、出力インターフェース８２０、プロセッサ８３０、及びメモリ８４０は、バスシステムによって接続され得る。メモリ８４０は、プログラム、命令、またはコードを含む命令を記憶するために使用される。プロセッサ８３０は、メモリ８４０内のプログラム、命令、又はコードを実行して、入力インターフェース８１０を制御して信号を受信し、出力インターフェース８２０を制御して信号を送信し、且つ前述の方法の実施例の動作を完了する。
【０１６１】
本発明の実施例において、プロセッサ８３０は、中央処理装置( Ｃｅｎｔｒａｌ Ｐｒｏｃｅｓｓｉｎｇ Ｕｎｉｔ、単に「ＣＰＵ」と呼ばれる)であってもよく、他の汎用プロセッサ、デジタル信号プロセッサ( ＤＳＰ )、特定用途向け集積回路( ＡＳＩＣ )、既製プログラマブルゲートアレイ( ＦＰＧＡ)又は他のプログラマブル論理デバイス、個別ゲート又はトランジスタ論理デバイス、個別ハードウェア構成要素等であってもよいことが理解されるべきである。汎用プロセッサはマイクロプロセッサであってもよく、プロセッサは任意の従来のプロセッサなどであってもよい。
【０１６２】
メモリ８４０は、読み出し専用メモリおよびランダムアクセスメモリを含み得、命令およびデータをプロセッサ８３０に提供し得る。メモリ８４０の一部は、不揮発性ランダムアクセスメモリも含み得る。例えば、メモリ８４０は、デバイスタイプの情報をさらに記憶してもよい。
【０１６３】
実施において、方法の各コンテンツは、プロセッサ８３０内のハードウェアの集積論理回路またはソフトウェア形態の命令によって実現されてもよい。本願の実施例に関連して開示される方法の内容は、ハードウェアプロセッサ実行として直接的に、またはプロセッサ内のハードウェアおよびソフトウェアモジュールの組み合わせで実行を完了するように具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体はメモリ８４０に位置し、プロセッサ８３０はメモリ８４０内の情報を読み出し、ハードウェアとともに上述した方法の内容を実現する。重複を避けるため、ここでは詳細な説明は省略する。
【０１６４】
１つの具体的な実施例において、図６に示す端末デバイス６００における通信モジュール６１０は、図８の入力インターフェース８１０及び出力インターフェース８２０で実現され、図６に示す端末デバイス６００における決定モジュール６２０は、図８のプロセッサ８３０で実現される。
【０１６５】
図９に示すように、本願の実施例は、ネットワークデバイス９００をさらに提供し、このネットワークデバイス９００は図７のネットワークデバイス７００であっても良く、図５の方法５００に対応するネットワークデバイスのコンテンツを実行するために使用される。このネットワークデバイス９００は、入力インターフェース９１０、出力インターフェース９２０、プロセッサ９３０、及びメモリ９４０を備え、これらはバスシステムにより接続されてもよい。メモリ９４０は、プログラム、命令、またはコードを含むデータを記憶するために使用される。プロセッサ９３０は、メモリ９４０内のプログラム、命令、又はコードを実行して、入力インターフェース９１０を制御して信号を受信し、出力インターフェース９２０を制御して信号を送信し、上述の方法の実施例の動作を完了する。
【０１６６】
本発明の実施例において、プロセッサ９３０は、中央処理装置( Ｃｅｎｔｒａｌ Ｐｒｏｃｅｓｓｉｎｇ Ｕｎｉｔ、単に「ＣＰＵ」と呼ばれる)であってもよく、他の汎用プロセッサ、デジタル信号プロセッサ( ＤＳＰ )、特定用途向け集積回路( ＡＳＩＣ )、既製プログラマブルゲートアレイ( ＦＰＧＡ)又は他のプログラマブル論理デバイス、個別ゲート又はトランジスタ論理デバイス、個別ハードウェア構成要素等であってもよいことが理解されるべきである。汎用プロセッサはマイクロプロセッサであってもよく、プロセッサは任意の従来のプロセッサなどであってもよい。
【０１６７】
メモリ９４０は、読み出し専用メモリ及びランダムアクセスメモリを含み得、プロセッサ９３０に命令及びデータを提供し得る。メモリ９４０の一部は、不揮発性ランダムアクセスメモリも含み得る。例えば、メモリ９４０は、デバイスタイプの情報をさらに記憶してもよい。
【０１６８】
実施において、方法の各コンテンツは、プロセッサ９３０内のハードウェアの集積論理回路またはソフトウェア形態の命令によって達成され得る。本願の実施例に関連して開示される方法の内容は、ハードウェアプロセッサ実行として直接的に、またはプロセッサ内のハードウェアおよびソフトウェアモジュールの組み合わせで実行を完了するように具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリ９４０に位置し、プロセッサ９３０は、メモリ９４０内の情報を読み取り、そのハードウェアとともに、上記方法の内容を達成する。重複を避けるため、ここでは詳細な説明は省略する。
【０１６９】
１つの具体的な実施例において、図７に示すネットワークデバイス７００における通信モジュール７２０は、図９の入力インターフェース９１０及び出力インターフェース９２０で実現され、図７に示すネットワークデバイス７００における生成モジュール７１０は、図９のプロセッサ９３０で実現されてもよい。
【０１７０】
なお、ここでいう「及び/又は」は、単に関連のある対象を記述するための関連関係の一種であり、Ａ及び/又はＢの３種類の関係が存在し得ることを示し、Ａのみ、ＡとＢが同時に存在すること、Ｂのみが存在することの３種類の場合が存在し得ることを示す。なお、本文中の「/」の文字は、前後の関連オブジェクトが一種の「または」の関係であることを一般的に示す。
【０１７１】
本発明の実施例の様々な実施例において、上述のプロセスの順序のサイズは、実行順序の前後を意味するものではなく、各プロセスの実行順序は、その機能及び内部ロジックにおいて決定されるべきであり、本発明の実施例のプロセスを何ら限定するものではないことを理解されたい。
【０１７２】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本願の範囲から逸脱するものと考えられるべきではない。
【０１７３】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１７４】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１７５】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１７６】
また、本発明の各実施例における各機能部は、１つの処理部に集積されてもよいし、各部は、物理的に別個に存在してもよいし、２つ以上の部が１つの部に集積されてもよい。
【０１７７】
ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータデバイス(パーソナルコンピュータ、サーバ、またはネットワークデバイスなどであり得る)に本発明の様々な実施例に記載された方法のステップの全てまたは一部を実行させるための複数の命令を含む１つの記憶媒体に記憶されたソフトウェア製品の形態で具現化され得る。なお、前記記憶媒体としては、Ｕ−ディスク、リムーバブルハードディスク、リードオンリーメモリ( ＲＯＭ，Ｒｅａｄ−Ｏｎｌｙ Ｍｅｍｏｒｙ )、ランダムアクセスメモリ( ＲＡＭ，Ｒａｎｄｏｍ Ａｃｃｅｓｓ Ｍｅｍｏｒｙ )、磁気ディスク、光ディスク等のプログラムコードを記憶できる種々の媒体を包含する。
【０１７８】
以上、本発明の具体的な実施例を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲によって定義されるべきである。
【図１】
2021501495.tif 000006
【図２】
2021501495.tif 000007
【図３】
2021501495.tif 000008
【図４】
2021501495.tif 000009
【図５】
2021501495.tif 000010
【図６】
2021501495.tif 000011
【図７】
2021501495.tif 000012
【図８】
2021501495.tif 000013
【図９】
2021501495.tif 000014
【手続補正書】
【提出日】令和2年9月1日(2020.9.1)
【手続補正１】
【補正対象書類名】特許請求の範囲
【補正対象項目名】全文
【補正方法】変更
【補正の内容】
【特許請求の範囲】
【請求項１】
端末デバイスがスロットフォーマット指示ＳＦＩを取得することと、
前記端末デバイスが前記ＳＦＩに基づいて、1つまたは複数のスロットフォーマットインデックスを取得することと、
前記端末デバイスが、１つまたは複数のスロットフォーマットインデックスのうちの１つおよび第１の対応関係従って、時間ユニットのスロットフォーマットを決定することと、
端末デバイスが、前記ＳＦＩによって示されるスロットフォーマットインデックスに対応するスロットフォーマットに従って、物理下り制御チャネル（ＰＤＣＣＨ）を受信することとを含み、
前記ＳＦＩは、1つ以上のスロットフォーマットインデックスを示すために使用され、
前記第１の対応関係は、前記スロットフォーマットインデックスとスロットフォーマットとの間の関係である
ことを特徴とする無線ネットワークにおけるデータ処理方法。
【請求項２】
前記時間ユニットは、スロットである
ことを特徴とする請求項１に記載の無線ネットワークにおけるデータ処理方法。
【請求項３】
前記端末デバイスが、１つまたは複数のスロットフォーマットインデックスのうちの１つおよび第１の対応関係従って、時間ユニットのスロットフォーマットを決定することは、
前記端末デバイスが、スロットの最初から始まるＭ個のシンボルを下り伝送に使用される時間領域位置として決定し、Ｍは下りシンボルの数であり、Ｍは０以上の整数であること、
及び／又は、
前記端末デバイスが、スロットの最後のＮ個のシンボルを上り伝送に使用される時間領域位置として決定し、Ｎは上りシンボルの数であり、Ｎは０以上の整数であることを含む
ことを特徴とする請求項２に記載の無線ネットワークにおけるデータ処理方法。
【請求項４】
前記時間ユニットは、前記ＳＦＩを搬送するＤＣＩを伝送するために使用される伝送周期であり、
前記伝送周期は、複数のスロットを含む
ことを特徴とする請求項１に記載の無線ネットワークにおけるデータ処理方法。
【請求項５】
前記１つまたは複数のスロットフォーマットインデックスは、伝送周期の各スロットのスロットフォーマットに対応する
ことを特徴とする請求項４に記載の無線ネットワークにおけるデータ処理方法。
【請求項６】
前記端末デバイスが、１つまたは複数のスロットフォーマットインデックスのうちの１つおよび第１の対応関係従って、時間ユニットのスロットフォーマットを決定することは、
端末デバイスが、伝送周期の各スロットの最初のシンボルから始まるＭ個のシンボルを、スロットの下り伝送に使用される時間領域位置として決定し、ここで、Ｍはこのスロットの下りシンボルの数、Ｍは０以上の整数であること、
および/または、
端末デバイスが、各スロットの最後のＮ個のシンボルを、前記伝送周期のスロットの上り伝送に使用される時間領域位置として決定し、ここで、Ｍはスロットの上りシンボルの数、Ｎは０以上の整数であることを含み、
ここで、伝送周期の異なるスロットについて、Ｍが異なる可能であり、伝送周期の異なるスロットについて、Ｎが異なる可能である
ことを特徴とする請求項５に記載の無線ネットワークにおけるデータ処理方法。
【請求項７】
端末デバイスが、前記ＳＦＩに従ってＰＤＣＣＨを受信することは、
端末装置が、時間ユニットの最初のシンボルから始まるＭ個のシンボルのＰＤＣＣＨを受信することを含む
ことを特徴とする請求項１に記載の無線ネットワークにおけるデータ処理方法。
【請求項８】
前記端末デバイスがネットワークデバイスによって送信された構成情報を受信することをさらに含み、
前記構成情報は、ＳＦＩを搬送するＤＣＩの伝送周期を構成するために使用される
ことを特徴とする請求項７に記載の無線ネットワークにおけるデータ処理方法。
【請求項９】
前記ＳＦＩはＤＣＩで搬送され、
前記ＤＣＩは、無線ネットワーク一時識別子（ＲＮＴＩ）を使用することによってスクランブルされる
ことを特徴とする請求項１に記載の無線ネットワークにおけるデータ処理方法。
【請求項１０】
スロットフォーマット指示ＳＦＩを取得するように構成される第１の取得モジュールと、
前記ＳＦＩに基づいて、1つまたは複数のスロットフォーマットインデックスを取得するように構成される第２の取得モジュールと、
１つまたは複数のスロットフォーマットインデックスのうちの１つおよび第１の対応関係従って、時間ユニットのスロットフォーマットを決定するように構成される決定モジュールと、
前記ＳＦＩによって示されるスロットフォーマットインデックスに対応するスロットフォーマットに従って、物理下り制御チャネル（ＰＤＣＣＨ）を受信するように構成される通信モジュールとを含み、
前記ＳＦＩは、1つ以上のスロットフォーマットインデックスを示すために使用され、
前記第１の対応関係は、前記スロットフォーマットインデックスとスロットフォーマットとの間の関係である
ことを特徴とする端末デバイス。
【請求項１１】
前記時間ユニットは、スロットである
ことを特徴とする請求項１０に記載の端末デバイス。
【請求項１２】
前記決定モジュールは、
スロットの最初から始まるＭ個のシンボルを下り伝送に使用される時間領域位置として決定し、Ｍは下りシンボルの数であり、Ｍは０以上の整数であり、
及び／又は、
スロットの最後のＮ個のシンボルを上り伝送に使用される時間領域位置として決定し、Ｎは上りシンボルの数であり、Ｎは０以上の整数であるように構成される
ことを特徴とする請求項１１に記載の端末デバイス。
【請求項１３】
前記時間ユニットは、前記ＳＦＩを搬送するＤＣＩを伝送するために使用される伝送周期であり、
前記伝送周期は、複数のスロットを含む
ことを特徴とする請求項１０に記載の端末デバイス。
【請求項１４】
前記１つまたは複数のスロットフォーマットインデックスは、伝送周期の各スロットのスロットフォーマットに対応する
ことを特徴とする請求項１３に記載の端末デバイス。
【請求項１５】
前記決定モジュールは、
伝送周期の各スロットの最初のシンボルから始まるＭ個のシンボルを、スロットの下り伝送に使用される時間領域位置として決定し、ここで、Ｍはこのスロットの下りシンボルの数、Ｍは０以上の整数であり、
および/または、
各スロットの最後のＮ個のシンボルを、前記伝送周期のスロットの上り伝送に使用される時間領域位置として決定し、ここで、Ｍはスロットの上りシンボルの数、Ｎは０以上の整数であるように構成され、
ここで、伝送周期の異なるスロットについて、Ｍが異なる可能であり、伝送周期の異なるスロットについて、Ｎが異なる可能である
ことを特徴とする請求項１４に記載の端末デバイス。
【請求項１６】
前記通信モジュールは、
時間ユニットの最初のシンボルから始まるＭ個のシンボルのＰＤＣＣＨを受信するように構成される
ことを特徴とする請求項１０に記載の端末デバイス。
【請求項１７】
前記通信モジュールは、さらに、ネットワークデバイスによって送信された構成情報を受信するように構成され、
前記構成情報は、ＳＦＩを搬送するＤＣＩの伝送周期を構成するために使用される
ことを特徴とする請求項１６に記載の端末デバイス。
【請求項１８】
前記ＳＦＩはＤＣＩで搬送され、
前記ＤＣＩは、無線ネットワーク一時識別子（ＲＮＴＩ）を使用することによってスクランブルされる
ことを特徴とする請求項１０に記載の端末デバイス。
【国際調査報告】
2021501495.tif 000015
2021501495.tif 000016
2021501495.tif 000017
2021501495.tif 000018
2021501495.tif 000019
2021501495.tif 000020